(57)【特許請求の範囲】
【請求項１】
電磁式のリレーであって、
コイル（４１，４２）と位置固定のコアヨーク（４３）と旋回可能に支承された可動子（４４）とを有する磁石系（４）が設けられており、
可動の接点（２９）を備えた長く延びた接点ばね（２２；１２２；２２２）と、１つの固定接点（２６，２８）を備えた少なくとも１つの接点保持体（２５，２７）とを有する接点装置（２）が設けられており、
さらに、一方では可動子（４４）の可動の端部区分（４４ｃ）と連結されかつ他方では接点ばね（２２；１２２；２２２）と連結された操作部材（３；１０３；２０３）が設けられており、しかも接点ばねが、片側において緊定された切換えばね（２１；１２１；２２１）の一部であり、該切換えばねが付加的に、操作部材（３；１０３；２０３）と連結された戻しばね（２３；１２３；２２３）を形成している形式のものにおいて、
戻しばね（２３；１２３；２２３）が少なくともほぼ、接点ばね（２２；１２２；２２２）と同一平面に位置していて、互いに間隔をおいて位置する２つの戻し脚（２３ａ）を有しており、
戻しばね（２３，１２３，２２３）が、切換えばね（２１；１２１；２２２）の長手方向の延びに対して垂直に運動可能な操作部材（３；１０３；２０３）に、該操作部材に設けられた少なくとも２つの案内溝（３３，１３３，２３３）を介して連結されており、該案内溝（３３，１３３，２３３）が、切換えばね（２１）の旋回軸線に対して平行な線の上に位置していることを特徴とする電磁式のリレー。
【請求項２】
接点ばね（２２）が、切換えばねの共通の緊定箇所から延びる通電性の２つのサイド脚（２２ａ）を備えたフレーム形状を有しており、両サイド脚が、自由端部において１つにまとまって、可動の接点（２９）を保持する接点区分（２２ｂ）を形成しており、戻しばね（２３）が、サイド脚（２２ａ）のそばを延びる２つの戻し脚（２３ａ）を形成している、請求項１記載のリレー。
【請求項３】
両方の戻し脚（２３ａ）が、戻しばね（２３）のフォーク状の構成によって形成されていて、それぞれ接点ばね（２２）のサイド脚（２２ａ）のそばを該接点ばねのフレーム形状の内部で延びている、請求項２記載のリレー。
【請求項４】
切換えばね（１２１；２２１）が、長く延びた中央の接点ばね（１２２；２２２）を形成しており、該接点ばねの両側に、各１つの戻し脚（１２３ａ；２２３ａ）が延びている、請求項１記載のリレー。
【請求項５】
両方の戻し脚（２３ａ；１２３ａ；２２３ａ）が、それぞれ互いに逆向きにかつその長手方向の延びに対して直角に曲げられた案内突起（２３ｂ；１２３ｂ；２２３ｂ）を有しており、該案内突起が、操作部材（３；１０３；２０３）の互いに整合する案内溝（３３；１３３；２３３）に係合する、請求項２から４までのいずれか１項記載のリレー。
【請求項６】
操作部材（３）がその外輪郭において、戻しばね（２３）のフォーク形状に合わせられていて、該戻しばねの戻し脚（２３ａ）の間において案内される、請求項３記載のリレー。
【請求項７】
接点ばね（２２）が、該接点ばねから分岐されて電流路の外側に位置する少なくとも１つの操作舌状片（２２ｃ；２２２ｃ）を介して、操作部材（３；２０３）の所属の切換え突子（３４；２３４）によって操作される、請求項１から６までのいずれか１項記載のリレー。
【請求項８】
２つの操作舌状片（２２ｃ；２２２ｃ）が、接点ばね（２２；２２２）の接点区分（２２ｂ；２２２ｂ）から分岐していて、該操作舌状片の端部がそれぞれ、戻し脚（２３ａ；２２３ａ）の端部と対向するようになっている、請求項７記載のリレー。
【請求項９】
コアヨーク（４３）が、コイル（４１，４２）を貫いて延びているコア脚（４３ａ）を有していて、該コア脚（４３ａ）が、コイルの外側に位置する自由端部（４３ｄ）で終わっており、可動子（４４）が、切換えばね（２１）に対してほぼ平行に延びていて、磁極・端部区分（４４ａ）とは反対側に位置する支承・端部区分（４４ｂ）を有しており、可動子（４４）の該支承・端部区分（４４ｂ）が、コア脚（４３ａ）の自由端部（４３ｄ）に隣接して設けられており、戻しばね（２３）が操作部材（３）と可動子（４４）の磁極・端部区分（４４ａ）とに対して下方に向かって負荷を加えており、さらに可動子（４４）の下にベース体（１）が配置されていて、該ベース体（１）に横方向に延びる旋回軸線（１７）が形成されていて、該旋回軸線（１７）を中心にして、戻しばね（２３）によって加えられる負荷に基づいて、可動子（４４）の磁極・端部区分（４４ａ）が下方に向かって旋回し、かつ可動子（４４）の支承・端部区分（４４ｂ）が上方にコア脚（４３ａ）の自由端部（４３ｄ）に向かって旋回するようになっている、請求項１から８までのいずれか１項記載のリレー。
【請求項１０】
旋回軸線（１７）が、ベース体（１）の上側に設けられた転動縁部によって形成されている、請求項９記載のリレー。
【請求項１１】
旋回軸線（１７）が、可動子（４４）の下側に設けられた転動縁部によって形成されている、請求項９記載のリレー。
【請求項１２】
ベース体（１）が磁石系（４）と接点装置（２）との間に隔壁（１１）を形成しており、ベース体（１）がただ１つの貫通孔（１２）だけを有していて、該貫通孔（１２）を貫いて操作部材（３；１０３；２０３）の一部が延びていて、該操作部材（３；１０３；２０３）を介して、可動子（４４）と接点ばね（２２）とが結合されている、請求項９から１１までのいずれか１項記載のリレー。
【請求項１３】
隔壁(１１)が、貫通孔（１２）の縁部において下面に向かって突出する絶縁カラー（１８）を形成している、請求項１２記載のリレー。
【請求項１４】
操作部材がＵ字形の構成を有しており、この場合側部における２つのフック部分（１３１；２３１）が可動子に引っかけられていて、かつ両フック部分を結合する１つの足部分（１３２；２３２）が切換えばね（１２１；２２１）に係合作用する、請求項１１記載のリレー。
【請求項１５】
操作部材（３）が、可動子に引っかけられたフック部分（３１）と切換えばね（２１）に係合作用する足部分（３２）とを有していて、該足部分が、絶縁カラー（１８）とラビリンス状に互いに係合し合っている、請求項１３記載のリレー。
【発明の詳細な説明】
【０００１】
【発明の属する技術分野】
本発明は、電磁式のリレーであって、コイルと位置固定のコアヨークと旋回可能に支承された可動子とを有する磁石系が設けられており、可動の接点を備えた長く延びた接点ばねと、固定接点を備えた少なくとも１つの接点保持体とを有する接点装置が設けられており、さらに、一方では可動子の可動の端部区分と連結されかつ他方では接点ばねと連結された操作部材が設けられており、しかも接点ばねが、片側において緊定された切換えばねの一部であり、該切換えばねが付加的に、操作部材と連結された戻しばねを形成している形式のものに関する。
【０００２】
【従来の技術】
ヨーロッパ特許出願公開第０３７５３９８号明細書には、扁平な磁石系とこの磁石系の下に配置されたメーク接点装置とを備えた無極リレーが開示されている。この場合接点ばねの操作は、レバー状の操作部材を介して行われ、この操作部材自体はケーシングに旋回可能に支承されていて、可動子及び接点ばねとの接触点を有しており、そしてこれらの接触点は、操作部材の切り離された支承形式に基づいて、相応な摩擦を伴う相対運動をその都度被る。これに加えてさらに操作部材自体の支承摩擦が生じる。可動子の戻し運動は、この場合接点ばねによって直接行われる。この公知の配置形式では、切換え接点を実現することは困難である。それというのは、可動子振動が休止状態において直接メーク接点に作用してしまうからである。さらに、可動子をその支承部において保持するためには、付加的な可動子ばねが必要である。
【０００３】
また、ドイツ連邦共和国特許第２６２７１６８号明細書には、一般的な構造を有する冒頭に述べた形式のリレーが公知であり、この公知のリレーでは、切り離された戻し脚が接点ばねから分岐されており、この場合相応な逆の撓みによって、種々異なったプレロード（Vorspannkraft）が生ぜしめられる。しかしながら、前記明細書に記載された切換えばねによっては、操作部材の正確な案内は不可能である。この系の実際の構成には、操作部材のための、摩擦を伴う付加的な案内が必要である。
【０００４】
【発明が解決しようとする課題】
ゆえに本発明の課題は、冒頭に述べた形式のリレーを改良して、可能な限り数少ない簡単に製造可能な部材を用いて、コンパクトなリレー構造及び接点ばねの摩擦の少ない操作を可能にするリレーを提供することである。この場合戻し機能をもつ切換えばねを実現することが望ましく、この切換えばねは、操作部材の摩擦の少ない正確な案内を可能にし、これによって小さな応働出力も得られる。さらにまた相応な構成において、この切換えばねによって、固有の可動子ばねを節約することができることも望まれている。
【０００５】
【課題を解決するための手段】
この課題を解決するために本発明の構成では、冒頭に述べた形式のリレーにおいて、戻しばねが少なくともほぼ、接点ばねと同一平面に位置していて、互いに間隔をおいて位置する２つの戻し脚を有しており、戻しばねが、切換えばねの長手方向の延びに対して垂直に運動可能な操作部材に、該操作部材に設けられた少なくとも２つの案内溝を介して連結されており、該案内溝が、切換えばねの旋回軸線に対して平行な線の上に位置している。
【０００６】
【発明の効果】
本発明ではつまり切換えばねが使用されており、この切換えばねは、実質的に共通の平面においてかつ一体的に、接点ばねと戻しばねとを形成し、しかも簡単な切断工程によって製造することができる。この場合もちろん、個々のばね舌状片を、戻し調節か又は接点操作のために例えば調整を目的として、共通のばね平面から幾分曲げ出すことは、排除されていない。しかしながら基本的には本発明における切換えばねのためには、製造工程を複雑にするような異なった平面への大きな屈曲又は折り曲げは不要である。さらに戻しばねは、互いに整合する少なくとも２つの操作点を形成しており、これらの操作点によって操作部材は掴まれ、かつ少ない摩擦で案内され、この場合互いに間隔をおいて位置する枢着点は、同時に、側方への傾倒や他の構成部材における摩擦を防止するためにも働く。
【０００７】
操作部材の範囲に適当な幅を備えていれば、１つの脚しか有していない戻しばねでも、本発明による案内を可能にすることができるが、しかしながら戻しばねは有利には、互いに切り離された２つの戻し脚を有しており、これらの戻し脚は、本来の接点ばねの両側において該接点ばねの外側に沿って延びているか、又は接点ばねがフレーム状の構成を有している場合には、該接点ばねのサイド脚の内側を延びている。操作部材はいずれにせよ相応に構成されている。この場合、可能な限り小さな摩擦を有する対称的な力分布に関しても、切換えばねの対称的な構成が提供される。接点ばねが上に述べたフレーム形状を有している場合には、両方の戻し脚は有利には、戻しばねのフォーク状の構成によって形成されていて、この両方の戻し脚はそれぞれ、接点ばねのサイド脚のそばを該接点ばねのフレーム形状の内部で延びている。操作部材への連結は、有利には案内突起によって行われ、これらの案内突起は、両方の戻し脚においてそれぞれ互いに逆向きにかつその長手方向の延びに対して直角に曲げられていて、操作部材の互いに整合する案内溝に係合する。本発明の有利な構成では、操作部材がその外輪郭において、戻しばねのフォーク形状に合わせられていて、該戻しばねの戻し脚の間において案内されている。
【０００８】
接点ばねは有利には、該接点ばねから分岐されて電流路の外側に位置する少なくとも１つの操作舌状片を介して、操作部材の所属の切換え突子によって操作され、この場合切換え突子はそれぞれ、戻しばねの枢着点に対して操作方向においてずらされている。切換え突子がこのようにずらされていることによって、完全に平らな切換えばねにおいても、可動子の戻しのためと接点操作のために異なったプレロードが生ぜしめられる。操作舌状片が電流路の外側に位置していることによって、操作舌状片は、高い切換え出力の場合でも、接点ばねの本来の通電範囲ほどは加熱されない、という利点が得られる。これによって操作部材の熱変形のおそれも回避することができる。上に述べたフレーム形状を備えた接点ばねの有利な構成では、２つの操作舌状片が、内部に向かって該接点ばねのフレーム形状から分岐しており、つまり該操作舌状片の端部がそれぞれ、戻し脚の端部と対向するようになっている。
【０００９】
本発明によるリレーの別の構成では、コアヨークが、コイルを貫いて延びているコア脚を有していて、該コア脚が、コイルの外側に位置する自由端部で終わっており、可動子が、切換えばねに対してほぼ平行に延びていて、磁極・端部区分とは反対側に位置する支承・端部区分を有しており、可動子の該支承・端部区分が、コア脚の自由端部に隣接して設けられており、戻しばねが操作部材と可動子の磁極・端部区分とに対して下方に向かって負荷を加えており、さらに可動子の下にベース体が配置されていて、該ベース体に横方向に延びる旋回軸線が形成されていて、該旋回軸線を中心にして、戻しばねによって加えられる負荷に基づいて、可動子の磁極・端部区分が下方に向かって旋回し、かつ可動子の支承・端部区分が上方にコア脚の自由端部に向かって旋回するようになっている。このように構成されていると、つまり切換えばねは操作部材を介して付加的に可動子をその支承部内に押圧することができ、これによって可動子は、磁石系の非励磁時においてもコアに接触することになり、その結果付加的な可動子ばねは不要になる。切換えばねを介して行われるこのような可動子保持の機能は、本発明によるリレーでは、切換え接点のためにも利点をもって使用されることができる。それというのは、保持作用が作用的に切り離された戻しばねによって行われ、かつ可動子の質量によってブレーク接点が損なわれるおそれはないからである。可動子のための旋回軸線は、有利には、ベース体に形成された転動縁部によって生ぜしめられる。しかしながらまた、逆に、可動子に形成された座屈部又は転動ウェブがベース体の平らな面において転動するような構成も可能である。
【００１０】
【発明の実施の形態】
次に図面につき本発明の実施の形態を説明する。
【００１１】
図１〜図７に示されたリレーは、図１に示されているようにベース体１から成っていて、このベース体１はその下側に、操作部材３を備えた接点装置２を有しており、ベース体１の上には磁石系４が配置されている。このリレー系は、ベースプレート５とキャップ６とによって形成されたケーシング内に配置されている。
【００１２】
ベース体１はボックス形に絶縁材料から構成されており、磁石系４と接点装置２との間における隔壁１１を形成している。この隔壁１１は操作部材３のための貫通孔１２だけしか有していない。隔壁１１の下には切換え室１３が形成されており、この切換え室１３はベース体の側壁１５によって取り囲まれていて、かつ１つの側において隔壁１１の段付けされた構成によって、より大きな高さをもつ接点室１３ａに移行している。切換え室においては、その長さの最大部分にわたって切換えばね２１が、リレーの底面に対してほぼ平行に延びており、この切換えばね２１はベースプレート５によって固定されている。切換えばね２１は平らな板ばねとして裁断されており、かつ通電するサイド脚２２ａを備えたフレーム形の接点ばね２２を形成している。サイド脚２２ａは自由端部に向かって１つにまとまって接点区分２２ｂを形成し、この接点区分２２ｂには可動の接点２９が固定されている。さらに接点区分２２ｂには２つの操作舌片２２ｃが、両側においてフレーム形状の内部に切り出されており、この場合両操作舌片２２ｃは緊定箇所に向かって延びている。
【００１３】
さらに切換えばね２１は接点ばね２２と一体的に、フォーク状の戻しばね２３を形成しており、この戻しばね２３は実質的に、切換えばねの固定端部２１ａを起点として延びていて接点ばね２２から切り離されており、戻しばね２３の２つの戻し脚２３ａは実質的に、互いに平行に接点ばね２２のフレーム形状の内部において、該接点ばね２２のサイド脚２２ａのそばを該サイド脚に対して平行に延びている（図３も参照）。戻しばね２３はその戻し脚２３ａでＵ字形を成しており、このＵ字形は、後で詳しく述べる操作部材３の外輪郭に合わせられている。
【００１４】
切換えばね２１はその固定端部２１ａでばね保持体２４に固定されており、このばね保持体２４は固定舌片２４ａを介して、差込み縦穴（Steckschacht）１４において、ベース体１の対向して位置している側壁１５に固定されている。固定舌片２４ａは、固定を改善するためにフック状の輪郭を有しており、さらにばね保持体２４には接続舌片２４ｂが一体成形されており、この接続舌片２４ｂは、ベースプレート５の対応する貫通孔を通して外部に向かって案内されている。
【００１５】
接点装置はさらに、ブレーク接点２６を備えたブレーク接点保持体２５と、メーク接点２８を備えたメーク接点保持体２７とを有している。両方の接点保持体は、固定区分２５ａ；２７ａを介して、ベース体１の差込み縦穴１６に固定されている。さらに両方の接点保持体はそれぞれ接続舌片２５ｂ；２７ｂを有しており、これらの接続舌片はベースプレート５を貫いて外方に向かって案内されている。接点保持体２５，２７は、可動の接点２９が選択的にブレーク接点２６及びメーク接点２８と共働するように、構成されかつそのように接点室１３ａに配置されている。
【００１６】
ベース体の上に配置された磁石系４は、巻線４２を備えたコイル体４１を有しており、この巻線４２の軸線は、リレーの底面に対して平行に位置している。コアヨーク４３が一体的に、軸方向でコイル全体を貫いて延びているコア脚４３ａと、該コア脚に対して平行にコイルの下を巻線の近傍で、コイル長さのほぼ半分まで延びているヨーク脚４３ｂとを形成している。可動子４４はその主部分で扁平にヨーク脚４３ｂの延長線上において延びており、この場合、横断面を減じられた磁極・端部区分４４ａが、同様に横断面を減じられた、ヨーク脚の磁極区分４３ｃにオーバラップしている。可動子の支承・端部区分４４ｂは自由なコア端部４３ｄに向かって直角に曲げられていて、コイル体フランジ４１ａのポケット４５において、該支承・端部区分が自由なコア端部４３ｄにおいて転動するように支承されている。コイル体フランジ４１ａは、この自由なコア端部４３ａを３つの側で取り囲んでおり、そして可動子４４の支承・端部区分４４ｂを保持リブ４１ｂによって固定して、コイルが軸方向で離反移動することを防止している。また、可動子のこの支承・端部区分４４ｂは戻しばね２３の戻し力によって、コア端部４３ｄの支承部に押し付けられる。この戻し力は可動の可動子端部４４ｃに対して作用し、この可動子端部をコイルから下方に向かって引き離す。これによって可動子はレバーとして、磁石系の非励磁時には、隔壁１１の上面における転動縁部１７を中心にして、図２の図示では逆時計回り方向に旋回させられ、この結果可動子の支承・端部区分４４ｂは支承部へとプレロードをかけられる。このように構成されていることによって、固有の支承ばねが省かれる。
【００１７】
ヨーク脚４３ｂが、巻線４２に直接（場合によっては絶縁中間層をもって）配置されていることによって、可動子４４は磁石系の励磁時にコイルに向かって引き付けられ、この結果切換えばね２１もまた操作部材３を介してこの方向に引っ張られる。このようにして、ヨーク脚４３ｂの下には既に述べた大きな接点室１３ａが生ぜしめられ、これに対して切換えばね２１のためには、運動させられる可動子の下における比較的低い切換え室１３で十分である。可動子の切換え運動を伝達する操作部材３は、フック部分３１を有しており、このフック部分３１は実質的にベース平面に対して垂直に、隔壁１１の貫通孔１２を貫通しており、かつそのフック状の端部で、可動子４４の貫通孔４４ｄに引っかけられている。このフック部分３１の自由端部の上方には、磁極脚４３ｂ磁極区分４３ｃにも切欠き４３ｅが設けられており、この切欠き４３ｅはこの範囲におけるヨーク脚への可動子の完全な接触を可能にする。
【００１８】
さらに操作部材３は扁平な足部分３２を有しており、この足部分３２は実質的に、切換えばね２１の平面に位置していて、図示の実施例ではＭ字形の構成を有している。Ｍの中央脚はこの場合フック部分３１に結合されている。足部分３２の両方の外側脚には各１つの案内溝３３が成形されており、この案内溝３３にはそれぞれ、隣接した戻し脚２３ａの案内突起２３ｂが係合している。外側脚の自由端部には、側部に各１つの操作突子３４が一体成形されており、この操作突子３４は、接点ばねの隣接した操作舌状片２２ｄの下に位置していて、操作部材３の上方への運動時に接点ばねを閉鎖ポジションにもたらす。操作突子３４における頂点の高さと案内溝３３の高さとの調整によって、たとえ戻しばねと接点ばねとが本来同一平面を占めている場合でも、ブレーク接点の閉鎖ポジションに対する可動子の戻しポジションを調節することができる。しかしながらまた、戻し脚２３ａもしくは操作舌状片２２ｃを幾分曲げることによっても、相応な適当なポジションを調節することが可能である。
【００１９】
磁石系と接点装置との間における絶縁性を高めるために、隔壁１１には下側に向かって絶縁カラー１８が一体成形されており、この絶縁カラー１８はラビリンス状に、操作部材３のＭ字形の足部分３２の脚の間に係合しており、このようにして長いクリープ区間を生ぜしめる。
【００２０】
リレーの組立ては次のように行われる。すなわちこの場合一方では磁石系が図４に示されているように前組立てされ、かつ他方では接点装置３がベース体において下側から固定される。図４に示された磁石系は、図５に示されたベース体とまとめられ、この場合コイル接続ピン４６は、ベース体の対応する貫通孔に差し込まれる。次いで下側から操作部材が、フレーム形の切換えばねを貫いて差し込まれ、可動子に引っかけられる。このために操作部材３はまず初めに、斜めの位置（図２に示された破線３′参照）において上方に向かって案内されて、フック部分３１を貫通孔１２に差し込まれ、次いで最終的なポジションに旋回させられる。係止結合部のない操作部材のこのような組立て形式によって、接点を損なうおそれのあるいかなるプラスチック摩耗も回避される。ベースプレート５及びキャップ６の装着によって、次にケーシングが形成され、このケーシングは公知の形式でシールされてもよい。
【００２１】
リレーの機能は、上に述べた個々の部材の対応配置によって既に生ぜしめられる。磁石系の励磁時に、可動子の磁極・端部区分４４ａはヨーク脚４３ｂの磁極区分４３ｃに引き付けられ、これによって操作部材３を介して接点ばね２２は上方に向かって引っ張られ、可動の接点２９はメーク接点２８と接触させられる。励磁を遮断すると、戻しばね２３はその戻し脚２３ａで操作部材３と可動子の端部４４ｃとを下方に向かって引っ張り、この際に可動子は転動縁部１７においてレバー状に旋回し、その支承・端部区分４４ｂもまたコイルの励磁なしに、ヨーク端部４３ｄに向かってプレロードをかけられる。
【００２２】
図８及び図９には、切換えばね及び操作部材の２つの別の実施例が示されている。この場合図８に示された切換えばね１２１は接点ばね１２２を有しており、この接点ばね１２２は、図３に示された接点ばね２２とは異なり、中央に配置されたただ１つの脚しか有しておらず、この脚の端部に接点区分１２２ｂは、可動の接点２９を有している。戻しばね１２３はこの実施例では、両側において接点ばねの外側のそばを延びる２つの戻し脚１２３ａによって形成されており、これらの戻し脚はその自由端部にそれぞれ外方に向かって折り曲げられた操作突起１２３ｂを有している。切換えばね１２３が変えられた形状を有していること相応して、形状を変えられた操作部材１０３が設けられている。この操作部材１０３は、外側脚である２つのフック部分１３１と両フック部分を結合する足部分１３２とを備えたＵ字形の構成を有している。足部分１３２は、切換えばねの下において該切換えばねに対して直角に延びており、接点ばね１２２を操作するための中央の突子区分１３４と、前記案内突起１２３ｂを受容するために働く側部に配置された２つの案内溝１３３とを有している。両方のフック部分１３１は上方に向かって可動子にまで延びており、この場合可動子はもちろん、フック部分１３１の引っかかりを可能にするために、両側において相応に構成されている。さらにまたこの実施例ではベース体はその隔壁において、上に述べた第１実施例における中央の貫通孔１２の代わりに、外側に位置する２つの貫通孔を有する必要がある。ばね保持体２４は、第１実施例におけるように構成されている。
【００２３】
第９図には第８図の変化実施例が示されている。この場合切換えばね２２１は、切換えばね１２１と同様に、接点区分２２２ｂを備えた中央の接点ばね２２２と、外側に位置する戻し脚２２３ａによって形成された戻しばね２２３とを有しており、この場合戻しばねはそれぞれ端部に、案内突起２２３ｂを有している。操作部材２０３は操作部材１０３と同様にＵ字形に形成されている。そして操作部材２０３は、２つのフック部分２３１と横方向に延びる１つの足部分２３２とを有しており、この足部分２３２には、案内突起２２３ｂを受容するための案内溝２３３が成形されている。接点ばね２２２の操作は、中央脚２２２ａにおいて直接行われるのではなく、側部に一体成形された操作舌状片２２２ｃを介して行われ、これらの操作舌状片２２２ｃは、戻し脚２２３ａとほぼ整合しており、かつそれぞれ操作部材２０３の操作突子２３４に載設されている。変えられた操作部材への可動子とベース体との適合については、図８におけると同様のことが言える。また機能に関しては、第１実施例についてと同様である。
【図面の簡単な説明】
【図１】本発明によるリレーを示す分解図である。
【図２】図１に示されたリレーが組み立てられた状態を示す縦断面図である。
【図３】ばね保持体と操作部材とを備えた切換えばねを示す斜視図である。
【図４】図１に示された磁石系を示す斜視図である。
【図５】図１に示されたベース体を上から見た斜視図である。
【図６】操作部材を単独で示す斜視図である。
【図７】接点装置を取り付けられたベース体の下面を示す斜視図である。
【図８】切換え装置の別の実施例を示す、図３に相当する斜視図である。
【図９】切換え装置のさらに別の実施例を、図３に相当する斜視図である。
【符号の説明】
１  ベース体、  ２  接点装置、  ３，１０３，２０３  操作部材、  ４  磁石系、  ５  ベースプレート、  ６  キャップ、  １１  隔壁、  １２  貫通孔、  １３  切換え室、  １３ａ  接点室、  １４，１６  差込み縦穴、  １５  側壁、  １７  転動縁部（レバー支点線）、  １８  絶縁カラー、  ２１，１２１，２２１  切換えばね、  ２１ａ  固定端部、  ２２，１２２，２２２  接点ばね、  ２２ａ  サイド脚、  ２２ｂ，１２２ｂ，２２２ｂ  接点区分、  ２２ｃ，２２２ｃ  操作舌状片、  ２３，１２３，２２３  戻しばね、  ２３ａ，２２３ａ  戻し脚、  ２３ｂ，１２３ｂ，２２３ｂ  案内突起（操作突起）、  ２４  ばね保持体、  ２４ａ  固定舌片、  ２４ｂ  接続舌片、  ２５  ブレーク接点保持体、  ２５ａ，２７ａ  固定区分、  ２５ｂ，２７ｂ  接続舌片、  ２６  ブレーク接点、  ２７  メーク接点保持体、  ２８  メーク接点、  ２９  可動の接点、  ３１，１３１，２３１  フック部分、  ３２，１３２，２３２  足部分、  ３３，１３３  案内溝、  ３４，１３４  操作突子（突子区分）、  ４１  コイル体、  ４１ａ  コイル体フランジ、  ４１ｂ  保持リブ、  ４２  巻線、  ４３  コアヨーク、  ４３ａ  コア脚、  ４３ｂ  ヨーク脚、  ４３ｃ磁極区分、  ４３ｄ  コア端部、  ４３ｅ  切欠き、  ４４  可動子、  ４４ａ  磁極・端部区分、  ４４ｂ  支承・端部区分、  ４４ｃ  可動子端部、  ４４ｄ  貫通孔、  ４６  コイル接続ピン
【図１】
0003902688.tif 000002
【図２】
0003902688.tif 000003
【図３】
0003902688.tif 000004
【図４】
0003902688.tif 000005
【図５】
0003902688.tif 000006
【図６】
0003902688.tif 000007
【図７】
0003902688.tif 000008
【図８】
0003902688.tif 000009
【図９】
0003902688.tif 000010